(57)【要約】【課題】連結した通水ブロック同士が変位しても破損の不安がない上、通水ブロック同士を屈曲状態にして連結接続することも可能な通水ブロック用接続具並びにこの通水ブロック用接続具を用いた通水ブロックの連結方法を提供すること。【解決手段】管状の接続具本体４の両側部を通水ブロック１の通水路２の端部２Ａに挿入可能な挿入部８に構成し、この挿入部８の外周面に通水路２の内面に密着する止水用突起９を設け、この止水用突起９は、挿入部８の外周面の周方向に長さを有する形状に形成すると共に、挿入部８の挿入方向に間隔を置いて複数並設状態に設け、この止水用突起９は、硬質ゴムなどの柔軟性を有する素材で構成する。【選択図】図１
2012117333.tif 000002
【特許請求の範囲】
【請求項１】
通水路を有する通水ブロックの両端の突き合わせ面同士を突き合わせて複数の通水ブロックを連結する際に、この突き合わせ面に臨設する前記各通水路の端部同士を通水状態に接続する通水ブロック接続具であって、管状の接続具本体の両側部を前記通水ブロックの通水路の端部に挿入可能な挿入部に構成し、この挿入部の外周面に前記通水路の内面に密着する止水用突起を設け、この止水用突起は、挿入部の外周面の周方向に長さを有する形状に形成すると共に、挿入部の挿入方向に間隔を置いて複数並設状態に設け、この止水用突起は、硬質ゴムなどの柔軟性を有する素材で構成したことを特徴とする通水ブロック接続具。
【請求項２】
管状の前記接続具本体は、硬質ゴムなどの柔軟性を有する素材で構成して、前記止水用突起を一体形成したことを特徴とする請求項１記載の通水ブロック接続具。
【請求項３】
前記接続具本体は、内部に管状の剛性芯材を備えたことを特徴とする請求項２記載の通水ブロック用接続具。
【請求項４】
前記止水用突起は、前記挿入部の外周面の全周に設けると共に、この止水用突起の外径寸法を、前記通水ブロックの通水路の内径寸法より大きく設定したことを特徴とする請求項１〜３のいずれか１項に記載の通水ブロック用接続具。
【請求項５】
前記止水用突起は、前記挿入部の挿入基端側に向かって傾斜する形状に形成したことを特徴とする請求項１〜４のいずれか１項に記載の通水ブロック用接続具。
【請求項６】
前記止水用突起は、前記挿入部の挿入先端側に位置するものより、挿入基端側に位置するものの方が外方へ大きく突出する形状に形成したことを特徴とする請求項１〜５のいずれか１項に記載の通水ブロック用接続具。
【請求項７】
少なくとも一側の前記挿入部の挿入先端部の外周面に、この挿入部の外周面の周方向に長さを有する補助突起を設けると共に、この補助突起の外径寸法を前記通水ブロックの通水路の内径より小さく設定して、挿入部の中心と通水路の中心とを略一致させてこの挿入部を通水路の端部に真っ直ぐ挿入すると、前記補助突起が通水路の内面に接触しないように構成したことを特徴とする請求項１〜６のいずれか１項に記載の通水ブロック用接続具。
【請求項８】
前記挿入部は、その挿入方向の長さ寸法を５ｃｍ以下に設定したことを特徴とする請求項１〜７のいずれか１項に記載の通水ブロック用接続具。
【請求項９】
通水路を有する通水ブロックの両端の突き合わせ面同士を突き合わせて複数の通水ブロックを連結すると共に、複数の通水ブロックの突き合わせ面に臨設する前記通水路の端部同士を通水状態に接続する通水ブロックの連結方法において、連結する一方の通水ブロックの通水路の端部に、前記請求項１〜８のいずれか１項に記載の通水ブロック用接続具の接続具本体の一側の挿入部を挿入し、この一方の通水ブロックをこの一方の通水ブロックに隣接設置させた他方の通水ブロックに対して接近移動させるか、若しくは一方の通水ブロックに隣接設置させた他方の通水ブロックを一方の通水ブロックに対して接近移動させることで、前記接続具本体の他側の挿入部を他方の通水ブロックの通水路の端部に挿入して一方の通水ブロックの通水路の端部と他方の通水ブロックの通水路の端部とを通水状態に接続することを特徴とする通水ブロックの連結方法。
【請求項１０】
前記通水ブロックは、前記突き合わせ面付近の側面部に接続用突起を設けたものを採用し、連結する一方の通水ブロックの通水路の端部に前記接続具本体の一側の挿入部を挿入した後、一方の通水ブロックと間隔を置いた隣接状態にして他方の通水ブロックを設置するか、若しくは一方の通水ブロックと間隔を置いた隣接状態にして他方の通水ブロックを設置した後、一方の通水ブロックの通水路の端部に前記接続具本体の一側の挿入部を挿入し、前記接続用突起に着脱自在に掛止可能な複数の第一掛止溝を有する引き寄せ部材と、この引き寄せ部材と回動自在に連結され、一端部に前記接続用突起に着脱自在に掛止可能な第二掛止溝を有し、他端部に操作ハンドルを有する操作部材とから成る引き寄せ具の前記第一掛止溝を、前記隣接設置した一方若しくは他方の通水ブロックの接続用突起に掛止すると共に、前記第二掛止溝を他方若しくは一方の通水ブロックの接続用突起に掛止し、この第二掛止溝を掛止した接続用突起を回動支点として前記操作ハンドルを回動操作することにより、一方若しくは他方の通水ブロックに対し他方若しくは一方の通水ブロックを引き寄せて、接続具本体の他側の前記挿入部を他方の通水ブロックの通水路の端部に挿入して一方の通水ブロックの通水路の端部と他方の通水ブロックの通水路の端部とを通水状態に接続し、接続完了後前記引き寄せ具を接続用突起から取り外し、一方の通水ブロックの接続用突起と他方の通水ブロックの接続用突起とに、両端部に前記接続用突起に係止する係止溝を有する接続部材のこの各係止溝を係止することで、一方の通水ブロックと他方の通水ブロックとを接続部材を介して連結することを特徴とする請求項９記載の通水ブロックの連結方法。
【発明の詳細な説明】
【技術分野】
【０００１】
本発明は、例えば消雪ブロックなどの通水路を備えた通水ブロックの通水路同士を接続するための通水ブロック用接続具並びにこの通水ブロック用接続具を用いた通水ブロックの連結方法に関するものである。
【背景技術】
【０００２】
通水可能な通水路を備えた通水ブロックとしては、例えば、散水ノズルに水などを供給する通水管を具備した消雪ブロックがある。
【０００３】
また、この種の消雪ブロックの連結構造は、消雪ブロックの両端の突き合せ面の一方に、通水管の一側端部を延長突出させて挿入管部を形成し、他方に、この挿入管部を挿入接続可能な接続管部を形成した構成として、複数の消雪ブロックを縦列した上でこの挿入管部と接続管部とをオス・メス接続して連結する構造（例えば、特許文献１参照。）や、複数縦列した消雪ブロックの両端の突き合せ面間に別部品のジョイント管を架設状態に挿入取付することで各通水管同士を接続して連結する構造（例えば、特許文献２参照。）が知られている。
【先行技術文献】
【特許文献】
【０００４】
【特許文献１】実用新案登録第３０６１５５９号公報
【特許文献２】特開２０００−１４４６６５号公報
【発明の概要】
【発明が解決しようとする課題】
【０００５】
上記のような管のオス・メス接続構造やジョイント管を用いる通水ブロックの接続構造は、管材が鋼製であるため、接続した通水ブロック同士が、例えば地盤の変動や繰り返し荷重を受けることによって変位すると、挿入管部やジョイント管や通水ブロックに応力が集中していずれかに破損を生じる懸念がある。
【０００６】
本発明は、このような従来の通水ブロックの連結構造の問題点に注目し、これを解決しようとするもので、接続した通水ブロック同士が変位しても破損の不安がなく、また、接続する通水ブロック同士を多少屈曲させながら接続することも可能となり、また通水ブロックの通水路の端部への接続作業性にも優れた通水ブロック用接続具並びにこの通水ブロック用接続具を用いた通水ブロックの連結方法を提供するものである。
【課題を解決するための手段】
【０００７】
添付図面を参照して本発明の要旨を説明する。
【０００８】
通水路２を有する通水ブロック１の両端の突き合わせ面３同士を突き合わせて複数の通水ブロック１を連結する際に、この突き合わせ面３に臨設する前記各通水路２の端部２Ａ同士を通水状態に接続する通水ブロック接続具であって、管状の接続具本体４の両側部を前記通水ブロック１の通水路２の端部２Ａに挿入可能な挿入部８に構成し、この挿入部８の外周面に前記通水路２の内面に密着する止水用突起９を設け、この止水用突起９は、挿入部８の外周面の周方向に長さを有する形状に形成すると共に、挿入部８の挿入方向に間隔を置いて複数並設状態に設け、この止水用突起９は、硬質ゴムなどの柔軟性を有する素材で構成したことを特徴とする通水ブロック接続具に係るものである。
【０００９】
また、管状の前記接続具本体４は、硬質ゴムなどの柔軟性を有する素材で構成して、前記止水用突起９を一体形成したことを特徴とする請求項１記載の通水ブロック接続具に係るものである。
【００１０】
また、前記接続具本体４は、内部に管状の剛性芯材10を備えたことを特徴とする請求項２記載の通水ブロック用接続具に係るものである。
【００１１】
また、前記止水用突起９は、前記挿入部８の外周面の全周に設けると共に、この止水用突起９の外径寸法を、前記通水ブロック１の通水路２の内径寸法より大きく設定したことを特徴とする請求項１〜３のいずれか１項に記載の通水ブロック用接続具に係るものである。
【００１２】
また、前記止水用突起９は、前記挿入部８の挿入基端側に向かって傾斜する形状に形成したことを特徴とする請求項１〜４のいずれか１項に記載の通水ブロック用接続具に係るものである。
【００１３】
また、前記止水用突起９は、前記挿入部８の挿入先端側に位置するものより、挿入基端側に位置するものの方が外方へ大きく突出する形状に形成したことを特徴とする請求項１〜５のいずれか１項に記載の通水ブロック用接続具に係るものである。
【００１４】
また、少なくとも一側の前記挿入部８の挿入先端部の外周面に、この挿入部８の外周面の周方向に長さを有する補助突起20を設けると共に、この補助突起20の外径寸法を前記通水ブロック１の通水路２の内径より小さく設定して、挿入部８の中心と通水路２の中心とを略一致させてこの挿入部８を通水路２の端部２Ａに真っ直ぐ挿入すると、前記補助突起20が通水路２の内面に接触しないように構成したことを特徴とする請求項１〜６のいずれか１項に記載の通水ブロック用接続具に係るものである。
【００１５】
また、前記挿入部８は、その挿入方向の長さ寸法を５ｃｍ以下に設定したことを特徴とする請求項１〜７のいずれか１項に記載の通水ブロック用接続具に係るものである。
【００１６】
また、通水路２を有する通水ブロック１の両端の突き合わせ面３同士を突き合わせて複数の通水ブロック１を連結すると共に、複数の通水ブロック１の突き合わせ面３に臨設する前記通水路２の端部２Ａ同士を通水状態に接続する通水ブロック１の連結方法において、連結する一方の通水ブロック１の通水路２の端部２Ａに、前記請求項１〜８のいずれか１項に記載の通水ブロック用接続具の接続具本体４の一側の挿入部８を挿入し、この一方の通水ブロック１をこの一方の通水ブロック１に隣接設置させた他方の通水ブロック１に対して接近移動させるか、若しくは一方の通水ブロック１に隣接設置させた他方の通水ブロック１を一方の通水ブロック１に対して接近移動させることで、前記接続具本体４の他側の挿入部８を他方の通水ブロック１の通水路２の端部２Ａに挿入して一方の通水ブロック１の通水路２の端部２Ａと他方の通水ブロック１の通水路２の端部２Ａとを通水状態に接続することを特徴とする通水ブロックの連結方法に係るものである。
【００１７】
また、前記通水ブロック１は、前記突き合わせ面３付近の側面部に接続用突起11を設けたものを採用し、連結する一方の通水ブロック１の通水路２の端部２Ａに前記接続具本体４の一側の挿入部８を挿入した後、一方の通水ブロック１と間隔を置いた隣接状態にして他方の通水ブロック１を設置するか、若しくは一方の通水ブロック１と間隔を置いた隣接状態にして他方の通水ブロック１を設置した後、一方の通水ブロック１の通水路２の端部２Ａに前記接続具本体４の一側の挿入部８を挿入し、前記接続用突起11に着脱自在に掛止可能な複数の第一掛止溝14を有する引き寄せ部材13と、この引き寄せ部材13と回動自在に連結され、一端部に前記接続用突起11に着脱自在に掛止可能な第二掛止溝16を有し、他端部に操作ハンドル17を有する操作部材15とから成る引き寄せ具12の前記第一掛止溝14を、前記隣接設置した一方若しくは他方の通水ブロック１の接続用突起11に掛止すると共に、前記第二掛止溝16を他方若しくは一方の通水ブロック１の接続用突起11に掛止し、この第二掛止溝16を掛止した接続用突起11を回動支点として前記操作ハンドル17を回動操作することにより、一方若しくは他方の通水ブロック１に対し他方若しくは一方の通水ブロック１を引き寄せて、接続具本体４の他側の前記挿入部８を他方の通水ブロック１の通水路２の端部２Ａに挿入して一方の通水ブロック１の通水路２の端部２Ａと他方の通水ブロック１の通水路２の端部２Ａとを通水状態に接続し、接続完了後前記引き寄せ具12を接続用突起11から取り外し、一方の通水ブロック１の接続用突起11と他方の通水ブロック１の接続用突起11とに、両端部に前記接続用突起11に係止する係止溝19を有する接続部材18のこの各係止溝19を係止することで、一方の通水ブロック１と他方の通水ブロック１とを接続部材18を介して連結することを特徴とする請求項９記載の通水ブロックの連結方法に係るものである。
【発明の効果】
【００１８】
本発明は上述のように構成したから、連結する双方の通水ブロックの通水路同士を確実に接続できると共に、挿入部の外周面に設けた止水用突起が通水路の内面に密着して漏水防止状態を良好に維持でき、また、止水用突起を硬質ゴムなどの柔軟性を有する素材で構成したから、挿入部を通水路に対して挿入し易く、手作業でも容易に通水ブロックに挿入でき、しかもこの止水用突起は、連結した通水ブロック同士に変位が生じても、柔軟に変形してこの変位を吸収するので、本発明品や通水ブロックに破損を生じにくく、更に止水用突起の柔軟性を利用して、カーブや起伏に対応した通水ブロックの連結状況を簡易に実現できる上、複数の止水用突起が挿入部の挿入方向に間隔を置いて並設しているため、一部の止水用突起が変形しすぎたり破損したりして通水路の内面とに隙間を生じても他の止水用突起によって止水性が良好に維持されることとなるなど、極めて実用性に優れた画期的な通水ブロック用接続具並びに通水ブロックの連結方法となる。
【００１９】
また、請求項２記載の発明においては、複数の止水用突起を備えた管状の接続具本体を樹脂成形などにより容易に一体成形して実現可能となり、しかも接続具本体自身も柔軟性を有するために、接続した通水ブロック同士の変位の吸収や、屈曲状態での通水ブロックの連結が一層良好に行われる極めて実用性に優れた通水ブロック用接続具となる。
【００２０】
また、請求項３記載の発明においては、接続具本体が剛性芯材で補強されて必要以上に弾性変形することが防止されるので、接続具本体の通水面積を良好に確保でき、更に止水用突起と通水路の内面との距離が常に適切に維持されて確実に漏水を防止できるなど、一層実用性に優れた通水ブロック用接続具となる。
【００２１】
また、請求項４記載の発明においては、止水用突起が通水路の内面全周に密着して極めて良好な漏水防止効果を発揮する一層実用性に優れた通水ブロック用接続具となる。
【００２２】
また、請求項５記載の発明においては、挿入部の通水路端部への挿入作業を、止水用突起を傷めることなく容易に且つ通水路に対し真っ直ぐに挿入することができる上、挿入部を挿入してしまえば、止水用突起がかえりの機能を発揮して簡単に抜けてしまうことがないなど、一層実用性に優れた通水ブロック用接続具となる。
【００２３】
また、請求項６記載の発明においては、挿入部を通水路に対して容易に挿入できる構成でありながら、挿入部を通水路に深く挿入することによって極めて良好な漏水防止作用を発揮できる一層実用性に優れた通水ブロック用接続具となる。
【００２４】
また、請求項７記載の発明においては、作業者が手作業で一側の挿入部を通水路の端部に挿入する際に、補助突起の通水路の内面への接触状況を確認でき、これによりブレたり偏心したりしたままで挿入部を挿入してしまうことを可及的に防止できる一層実用性に優れた通水ブロック用接続具となる。
【００２５】
また、請求項８記載の発明においては、従来の接続管構造に比して挿入部の挿入長が著しく短いため、この挿入部の通水路への挿入作業が非常に容易に行われることとなり、しかも、連結した通水ブロック同士が変位した場合にこの変位に追従し易く、地盤の変動などにも対しても強い接続構造を実現できると共に、カーブなどの屈曲状態の連結にも柔軟に対応できるなど、一層実用性に優れた通水ブロック用接続具となる。
【００２６】
また、請求項１０記載の発明においては、引き寄せ具を用いて作業者が一人でも容易に且つ安全に通水ブロックの通水路の接続作業を行うことができ、従来の接続構造での接続作業のようにクレーンなどの施工機械を使用しての作業を要しないために、施工機械で他の作業を並行して行うことができて作業の一層の効率化が図れるなど、極めて実用性に優れた通水ブロックの連結方法となる。
【図面の簡単な説明】
【００２７】
【図１】本実施例の一側の挿入部を、消雪ブロックの通水路の端部に挿入しようとする状態を示す説明斜視図である。
【図２】本実施例を示す一部を切り欠いた側面図である。
【図３】本実施例の一側の挿入部を、消雪ブロックの通水路の端部に挿入する途中の状態を示す説明部分拡大側断面図である。
【図４】本実施例の一側の挿入部を、消雪ブロックの通水路の端部に挿入完了した状態を示す説明部分拡大側断面図である。
【図５】本実施例の引き寄せ具を示す一部を省略した斜視図である。
【図６】本実施例の引き寄せ具を、隣り合わせに設置した消雪ブロックの接続用突起にセットした状態を示す説明部分拡大側面図である。
【図７】図６の状態から、引き寄せ具の操作ハンドルを回動操作して他方の消雪ブロックを一方の消雪ブロックに引き寄せた状態を示す説明部分拡大側面図である。
【図８】図７の状態から、引き寄せ具の引き寄せ部材の第一掛止溝を掛け直した状態を示す説明部分拡大側面図である。
【図９】図８の状態から、引き寄せ具の操作ハンドルを回動操作して他方の消雪ブロックを一方の消雪ブロックに引き寄せ、他側の挿入部を他方の消雪ブロックの通水路端部に挿入接続した状態を示す説明部分拡大側面図である。
【図１０】本実施例の通水ブロックの連結状態における要部を示す部分拡大側断面図である。
【図１１】本実施例の通水ブロックの連結状態を示す部分拡大側面図である。
【発明を実施するための形態】
【００２８】
好適と考える本発明の実施形態を、図面に基づいて本発明の作用を示して簡単に説明する。
【００２９】
通水ブロック１の通水路２の端部２Ａに、本発明品の接続具本体４の一側の挿入部８を挿入することで、この通水ブロック１に本発明品を接続する。
【００３０】
続いて、この本発明品を接続した一方の通水ブロック１を、この一方の通水ブロック１に隣接設置させた他方の通水ブロック１に対して接近移動させるか、若しくは一方の通水ブロック１に隣接設置させた他方の通水ブロック１を、一方の通水ブロック１に対して接近移動させることで、前記接続具本体４の他側の挿入部８を他方の通水ブロック１の通水路２の端部２Ａに挿入して一方の通水ブロック１の通水路２の端部２Ａと他方の通水ブロック１の通水路２の端部２Ａとを本発明品を介して通水状態に接続する。
【００３１】
すると、各通水ブロック１の通水路２に挿入された挿入部８には、外周面に止水用突起９が設けられていてこの止水用突起９が前記通水路２の内面に密着することとなり、これにより各通水路２間は漏水防止状態となるので、本発明品を介して一方の通水ブロック１の通水路２から他方の通水ブロック１の通水路２へ、若しくは他方の通水ブロック１の通水路２から一方の通水ブロック１の通水路２へと通水が良好に行われる。
【００３２】
また、硬質ゴムなどの柔軟性を有する素材で構成した止水用突起９は、通水路２の内面に強く圧接することなく、適度に変形して摩擦抵抗を生じにくいので、通水路２に対して挿入し易く、手作業でも容易に通水ブロック１（の通水路２）に挿着可能である。
【００３３】
また、柔軟性を有する止水用突起９は、例えば地盤の変動や通水ブロック１に繰り返し荷重を受けることなどによって接続した通水ブロック１同士が変位しても、柔軟に変形してこの変位を吸収することになる。従って、本発明品や通水ブロック１にこの変位時の応力が集中しにくく、破損を生じにくい。
【００３４】
更に、この止水用突起９の柔軟性を利用して、接続する通水ブロック１同士を多少屈曲させた状態で接続することも可能となり、カーブや起伏に対応した多様な接続状況を実現できる。また、このような接続状況において、万一一部の止水用突起９が変形しすぎたり破損したりして通水路２の内面とに隙間を生じても、挿入部８の挿入方向に間隔を置いて並設している複数の止水用突起９のどれかが内面との密着状態を維持するので、止水性が良好に維持されることになる。
【００３５】
ところで、背景技術の項で示した従来のオス・メス接続構造やジョイント管を用いる接続構造は、いずれも、一方の消雪ブロック（通水ブロック）に対して他方の消雪ブロックを横移動させて挿入管部若しくはジョイント管を挿入接続する。
【００３６】
しかしながら、この接続作業は、先に据え付けた一方の消雪ブロックに対して、後から据え付けする他方の消雪ブロックをクレーンなどの施工機械で吊り上げて、できるだけ水平に保って横移動させながら管同士の位置合せと挿入接続とを行うのであるが、この際、一方の消雪ブロックに対して他方の消雪ブロックを水平にしすぎるとブロック底面を設置面に引きずってしまうし、かといって他方の消雪ブロックを傾かせすぎると管同士が接続しづらかったり管が損傷してしまったりする場合があるため、慎重を要する非常に厄介な作業であった。
【００３７】
また、管の接続を行う作業者と、施工機械で吊り上げた消雪ブロックを先に据え付けた消雪ブロックの方向に移動させる作業者とが離れているため、ブロックを移動させる作業者には管の接続状況がわからず、作業者同士のコミュニケーションが上手くいかないと、管の接続を行う作業者がブロックの突き合わせ面間に手を挟んでしまう危険性もあった。
【００３８】
また、この接続作業中は、クレーンなどの施工機械を占有してしまうため、施工機械を用いて行う他の作業が行えなくなり、作業効率に無駄が生じていた。
【００３９】
この点、例えば、前記通水ブロック１は、前記突き合わせ面３付近の側面部に接続用突起11を設けたものを採用し、連結する一方の通水ブロック１の通水路２の端部２Ａに前記接続具本体４の一側の挿入部８を挿入した後、一方の通水ブロック１と間隔を置いた隣接状態にして他方の通水ブロック１を設置するか、若しくは一方の通水ブロック１と間隔を置いた隣接状態にして他方の通水ブロック１を設置した後、一方の通水ブロック１の通水路２の端部２Ａに前記接続具本体４の一側の挿入部８を挿入し、前記接続用突起11に着脱自在に掛止可能な複数の第一掛止溝14を有する引き寄せ部材13と、この引き寄せ部材13の基端部と回動自在に連結され、一端部に前記接続用突起11に着脱自在に掛止可能な第二掛止溝16を有し、他端部に操作ハンドル17を有する操作部材15とから成る引き寄せ具12の前記第一掛止溝14を、前記隣接設置した一方若しくは他方の通水ブロック１の接続用突起11に掛止すると共に、前記第二掛止溝16を他方若しくは一方の通水ブロック１の接続用突起11に掛止し、この第二掛止溝16を掛止した接続用突起11を回動支点として前記操作ハンドル17を回動操作することにより、一方若しくは他方の通水ブロック１に対し他方若しくは一方の通水ブロック１を引き寄せて、接続具本体４の他側の前記挿入部８を他方の通水ブロック１の通水路２の端部２Ａに挿入して一方の通水ブロック１の通水路２の端部２Ａと他方の通水ブロック１の通水路２の端部２Ａとを通水状態に接続し、接続完了後前記引き寄せ具12を接続用突起11から取り外し、一方の通水ブロック１の接続用突起11と他方の通水ブロック１の接続用突起11とに、両端部に前記接続用突起11に係止する係止溝19を有する接続部材18のこの各係止溝19を係止することで、一方の通水ブロック１と他方の通水ブロック１とを接続部材18を介して連結する通水ブロックの連結方法を採用すれば、作業者が引き寄せ具12を操作して、一方の通水ブロック１と他方の通水ブロック１の突き合わせ面３付近で本発明品と他側の挿入部８と他方の通水ブロック１の通水路２の端部２Ａとの接続状況を確認しながら接続作業を行うことが可能となる。
【００４０】
従って、この連結方法によれば、作業者がたとえ一人でも容易に接続作業を行うことができ、通水ブロック１の突き合わせ面３間に手を挟んでしまうようなこともなく、しかもこの接続作業にクレーンなどの施工機械を使用する必要がないために、施工機械で他の作業を並行して行うことができて効率の良い施工作業が実現することになる。
【実施例】
【００４１】
本発明の具体的な実施例について図面に基づいて説明する。
【００４２】
図面の通水ブロック１は、道路などに設けた長溝内に複数縦列状態に並べて設置する道路埋込型のコンクリート製消雪ブロック１（以下、消雪ブロック１と称す。）を示している。
【００４３】
この消雪ブロック１について更に詳しく説明すると、詳しく図示していないが、横方向に細長い角形体であって、その上面には長手方向に間隔を置いて図示省略の散水ノズルを複数並設状態に具備し、長手方向の両端部には鉛直面状の突き合せ面３を具備した形状である。
【００４４】
また、この消雪ブロック１は、前記各散水ノズルに地下水などを供給するための円管（丸管）状の通水路２をこの消雪ブロック１の長手方向に沿って埋設状態に設けて、この通水路２の両端部２Ａが前記各突き合せ面３に臨設（開口）する構成としているが、この通水路２は管などを消雪ブロック１内に埋め込んで形成するのではなく、通水路２を有する形状にコンクリートで一体成形した消雪ブロック１を示している。
【００４５】
また、この消雪ブロック１は、前記突き合わせ面３付近の両側の側面部に接続用突起11としてのボルト11を突設している。
【００４６】
尚、後述する本実施例の通水ブロック接続具は、管などを埋め込んで通水路２を形成した通水ブロック１に対しても使用可能であるし、通水路２を有する他の通水ブロック１（例えば、歩車道境界型と称される長手方向の側面部に散水ノズルを具備した消雪ブロック１など）にも使用可能である。
【００４７】
本実施例は、前記消雪ブロック１の両端の突き合わせ面３同士を突き合わせて複数の消雪ブロック１を連結する際に、この突き合わせ面３に臨設する前記各通水路２の端部２Ａ同士を通水状態に接続する通水ブロック接続具であって、管状の接続具本体４の中間部の外周面に、連結する一方の前記消雪ブロック１と他方の消雪ブロック１の突き合わせ面３間に介在して各突き合わせ面３間に目地材５配設用の小間隙６を形成する介在用突起７を突設すると共に、この接続具本体４の両側部を前記消雪ブロック１の通水路２の端部２Ａに挿入可能な挿入部８に構成し、この挿入部８の外周面に前記通水路２の内面に密着する止水用突起９を設けている。
【００４８】
具体的には、接続具本体４は、前記通水路２の径よりやや径小な円管（丸管）形状体に構成すると共に、管長さ方向の長さ寸法を１０ｃｍ程度（好ましくは９.６ｃｍ程度）に設定構成している。
【００４９】
また、図１，図２に示すように、接続具本体４の中間部の外周面には、この外周面全周から接続具本体４の管長さ方向と直交する外方へ円板状に突出する突出部を設けて、この円板状突出部を前記介在用突起７とし、この円板状の介在用突起７の一側板面が前記一方の通水ブロック１の突き合わせ面３に面接当接し、他側板面が前記他方の通水ブロック１の突き合わせ面３に面接当接する構成としている。
【００５０】
また、この介在用突起７は、接続具本体４の管長さ方向に沿った厚み寸法（板厚寸法）をこの種の消雪ブロック１の目地材５の厚み寸法と略同等の１ｃｍ程度に設定し、従って、連結する一方の前記消雪ブロック１と他方の消雪ブロック１の突き合わせ面３間にこの介在用突起７を介在することにより、各突き合わせ面３間に目地材５配設用の小間隙６（１ｃｍ程度）が形成される構成としている（図９参照。）。
【００５１】
また、この介在用突起７は、硬質ゴムなどの柔軟性を有する素材で構成して、この介在用突起７が消雪ブロック１同士の突き合わせ面３を突き合わせ連結した際の衝撃を吸収できると共に、消雪ブロック１同士の位置が多少変位して屈曲状態となっても、この介在用突起７が柔軟に変形して変位を吸収できる構成としている。
【００５２】
また、接続具本体４の両側部の挿入部８は、管長さ方向の長さ寸法を５ｃｍ程度（好ましくは４.３ｃｍ程度）に設定している。即ち、本実施例の挿入部８は、通水路２への挿入長を５ｃｍ程度（更に好ましくは４.３ｃｍ程度）に設定している。
【００５３】
従って、背景技術の項で示した従来のオス・メス接続構造やジョイント管を用いる接続構造にあっては、通水路への挿入長が１０〜１５ｃｍ程もあったが、この従来構造に比して本実施例の挿入部８の挿入長は５ｃｍ程度（好ましくは５ｃｍ以下）と著しく短いため、挿入部８の通水路２の端部２Ａへの挿入作業が非常に容易に行われ、人力でもこの作業を造作なく行うことができ、また、従来のジョイント管などと比べると、挿入部８の挿入長が短いがために、連結した通水ブロック１同士が変位した場合にこの変位に追従し易くなり、よって地震などの地盤の変動に対して強い接続構造となると共に、カーブなどの施工にも柔軟に対応できることになる構成としている。
【００５４】
また、本実施例では、この各挿入部８に外周面に、この外周面の周方向に長さを有する形状の前記止水用突起９を、挿入部８の挿入方向（接続具本体４の管長さ方向）に間隔を置いて複数並設状態に設けている。
【００５５】
また、この各止水用突起９は、硬質ゴムなどの柔軟性を有する素材で構成すると共に、その外径寸法を前記通水ブロック１の通水路２の内径寸法より大きく設定して、挿入部８を通水路２に挿入すると、この複数の通水用突起９が挿入部８の挿入基端側に倒れつつ通水路２の内面に確実に圧接密着して高い漏水防止作用を発揮する構成としている（図４，図１１参照。）。
【００５６】
更に詳しくは、止水用突起９は、図１に示すように前記挿入部８の外周面の全周にリング状に突設する形状に形成すると共に、このリング状の止水用突起９を、挿入部８の挿入方向に間隔を置いた五箇所に並設状態に設けている（各挿入部８に夫々五個ずつ止水用突起９を設けている。）。
【００５７】
従って、止水用突起９が通水路２の内面の全周に密着して高い漏水防止作用を発揮することとなり、更に、カーブや起伏に対応した屈曲連結状況において一部の止水用突起９が変形しすぎたり破損したりして通水路２の内面とに隙間を生じても、挿入部８の挿入方向に間隔を置いて並設する複数の止水用突起９のいずれかによって止水性が確保されることになる構成としている。
【００５８】
また、この各止水用突起９は、図２に示すように、前記挿入部８の挿入基端側に向かって傾斜する形状に形成すると共に、挿入部８の挿入先端側に位置するものより、挿入基端側に位置するものの方が外方へ大きく突出する形状に形成している。
【００５９】
更に詳しくは、各止水用突起９は、その突出先端側が先細りつつ挿入部８の挿入基端側に傾斜して先端部が側面視で鋭角形となる形状であって、挿入部８の最も挿入先端側に位置する止水用突起９の外方への突出度が最も小さく（外径が小さく）、この最も挿入先端側に位置するものから挿入基端側に位置するものほど徐々に外方への突出度が大きくなる形状に形成している。
【００６０】
また、本実施例では、各挿入部８の形状も、その挿入先端部より挿入基端側にいくにつれて徐々に厚みが増して外方へいく形状に形成している。
【００６１】
従って、このように挿入部８も止水用突起９も挿入先端側の外径を小さくして、しかも止水用突起９を挿入部８の挿入基端側に向かって傾斜する形状に形成したことにより、この止水用突起９付の挿入部８が通水路２の内面に摩擦しにくく、挿入部８が消雪ブロック１の通水路２の端部２Ａに真っ直ぐに挿入し易く、且つ止水用突起９の通水路２内面への摩擦が少ないことで挿入時に止水用突起９を傷めにくい構成としている。
【００６２】
また、このように挿入し易い構成でありながら、挿入後は、挿入部８の挿入基端側に傾斜したまま通水路２の内面に密着している止水用突起９が抜け止め用のかえりとして機能するので、挿脱方向への強い摩擦抵抗が得られてこの挿入部８（接続具本体４）が通水路２の端部２Ａから抜けにくくなる構成としている。
【００６３】
また、本実施例では、一側の挿入部８の先端部に、この一側挿入部８が最初に挿入すべき側の挿入部８であることを作業者に報知すると共に、前記通水路２の端部２Ａへの挿入操作を補助する補助突起20を設けている。
【００６４】
具体的には、補助突起20は、柔軟性を有する素材（本実施例では硬質ゴム）で構成すると共に、挿入部８の外周面の周方向に長さを有する形状に形成している。
【００６５】
また、この補助突起20は、一側の挿入部８の先端部の外周面全周にリング状に突設した構成とすると共に、その外径寸法を前記通水路２の内径よりやや小さい外径寸法に設定している。即ち、この補助突起20は、通水路２の中心と一側の挿入部８の中心とを略一致させるようにしてこの一側の挿入部８を通水路２の端部２Ａに真っ直ぐ挿入すれば、通水路２の内面に当たらない構成としている。
【００６６】
この補助突起20は、作業者が手作業で一側の挿入部８を通水路２の端部２Ａに挿入する際に、ブレたり偏心したりしたままで挿入されることを防止するためのもので、上記したように、通水路２の中心とこの一側の挿入部８の中心とを略一致させるようにして一側の挿入部８を通水路２の端部２Ａに挿入できれば、通水路２の内面に当たらないので上手く挿入できたことの確認になり、一方、この補助突起20が通水路２の端部２Ａや端部２Ａ周囲の突き合わせ面３に当たると、通水路２に対して接続具本体４が傾いてしまうが、このことを作業者が認識することで作業者に接続具本体４（の一側の挿入部８）を真っ直ぐに通水路２に挿入しようという意識（注意）を喚起させることになり、結果として良好な挿入状況が得られる構成としている。
【００６７】
本実施例では、管状の前記接続具本体４は、柔軟性を有する素材（本実施例では硬質ゴム製）で構成して、前記介在用突起７と前記止水用突起９と前記補助突起20を一体成形している。
【００６８】
従って、接続具本体４自身も柔軟性を有する構成とし、これにより接続した消雪ブロック１同士が変位したり、接続する消雪ブロック１同士を多少屈曲させながら接続するような場合には、介在用突起７や止水用突起９だけでなくこの接続具本体４も柔軟に変形して良好に対応可能となる構成としている。
【００６９】
また、本実施例の接続具本体４は、内部に管状の剛性芯材10を具備している。
【００７０】
具体的には、剛性芯材10は、ステンレス鋼製の管材を採用している。この剛性芯材10は接続具本体４の骨組みとなるもので、この剛性芯材10の外表面を全て硬質ゴムで被覆することで管状の接続具本体４を構成している。即ち、本実施例の接続具本体４は、管状の剛性芯材10の外被として硬質ゴムが表出する構成としている（図２参照。）。
【００７１】
また、本実施例では、硬質ゴム製の接続具本体４を成形する際に剛性芯材10をインサート成形することで、内部に剛性芯材10を具備する接続具本体４を構成している。
【００７２】
この剛性芯材10は、接続具本体４が必要以上に変形することを防止するためのもので、これによりこの接続具本体４の通水面積が縮小してしまうような不都合を生じず、通水性を常に良好に確保できると共に、挿入部８（止水用突起９）の外周面と通水路２の内面との距離が常に適正に保持されて止水性（漏水防止）も良好に確保できる構成としている。
【００７３】
次に、本実施例の施工手順を説明する。
【００７４】
尚、本実施例では、連結する消雪ブロック１同士の引き寄せに引き寄せ具12を使用した場合を示している。
【００７５】
ここで、図５に基づいて本実施例の引き寄せ具12を説明すると、前記接続用突起11に着脱自在に掛止可能な複数の第一掛止溝14を有する引き寄せ部材13と、この引き寄せ部材13と回動自在に連結され、一端部に前記接続用突起11に着脱自在に掛止可能な第二掛止溝16を有し、他端部に操作ハンドル17を有する操作部材15とから成るものである。
【００７６】
具体的には、引き寄せ部材13は、横長の長尺な金属板材で構成し、この引き寄せ部材13の長手方向の一側縁部（図面下側の縁部）に、この一側縁部の複数箇所を溝状に切欠することでこの引き寄せ部材13の長手方向の先端部から基端側に至る範囲に、前記消雪ブロック１の前記接続用突起11（ボルト）に上方から着脱自在に掛止可能な前記第一掛止溝14を複数（図面では五箇所）設けている。
【００７７】
また、操作部材15は、短めな縦長の金属板21の上端部に縦長の細長い棒材17を付設することで、前記引き寄せ部材13よりもはるかに全長が長い縦長の部材に構成し、下側の金属板21の下端縁に、この下端縁を溝状に切欠することで前記消雪ブロック１の前記接続用突起11に上方から着脱自在に掛止可能な前記第二掛止溝16を設け、この金属板21の上端部に付設した前記棒材17を前記操作ハンドル17としている。
【００７８】
そして、前記引き寄せ部材13の基端部を、前記操作部材15の金属板21の中ほどに回動自在に枢着した構成としている。
【００７９】
先ず、例えば、消雪ブロック１をクレーンなどで吊り上げて移動させて設置場所の所定位置に設置する。
【００８０】
次いで、この消雪ブロック１の通水路２の端部２Ａに前記接続具本体４の一側の挿入部８（前記補助突起20を設けた側の挿入部８）を挿入して、この一側の挿入部８に面する前記介在用突起７の一側板面を消雪ブロック１の突き合わせ面３に面接当接させる（図１，図３，図４参照。）。
【００８１】
次いで、この最初に設置した図面右側の消雪ブロック１（一方の消雪ブロック１）の隣（図面左側）に、別の消雪ブロック１（他方の消雪ブロック１）を、その突き合わせ面３が最初に設置した一方の消雪ブロック１の接続具本体４の他側の挿入部８との間に間隔を介在するようにして設置する。
【００８２】
次いで、この隣り合わせに設置した一方の消雪ブロック１の前記接続用突起11に前記引き寄せ具12の第二掛止溝16を掛止すると共に、他方の消雪ブロック１の前記接続用突起11に引き寄せ具12の複数の第一掛止溝14のうちの適当なものを掛止することで、前記操作ハンドル17が他方の消雪ブロック１側に傾いた状態となるようにする（図６参照。）。尚、この引き寄せ具12を二個使用して隣り合わせに設置した消雪ブロック１の両側に夫々掛止すると、この二個の引き寄せ具12を使用して消雪ブロック１を安定的に引き寄せできるので望ましい。また、第一掛止溝14と第二掛止溝16は、上記と逆の位置関係で接続用突起11に掛止しても良い。
【００８３】
次いで、例えば、作業者が第二掛止溝16が接続用突起11に掛止された方の消雪ブロック１の上面に載り、引き寄せ具12の操作ハンドル17の上側を把持して手前側（一方の消雪ブロック１側）に引っ張るように回動操作する。すると、第二掛止溝16が支点、操作ハンドル17が力点、第一掛止溝14（引き寄せ部材13）が作用点となるテコの原理により、一方の消雪ブロック１に対し他方の消雪ブロック１が引き寄せられる（図７参照。）。
【００８４】
一回の引き寄せ操作で接続具本体４の他側の挿入部８が他方の消雪ブロック１の通水路２の端部２Ａに挿入接続されなかった場合には、第一掛止溝14の接続用突起11への掛止場所を変更して再度引き寄せ操作を行う（図８，図９参照。）。
【００８５】
そして、図１０に示すように、他側の挿入部８が他方の消雪ブロック１の通水路２の端部２Ａに挿入して一方の消雪ブロック１の通水路２と他方の消雪ブロック１の通水路２を接続すると共に、一方の消雪ブロック１と他方の消雪ブロック１の突き合わせ面３間の間隔が目地間隔（１ｃｍ程度の小間隙６）となったら（円板状の介在用突起７の一側板面が前記一方の通水ブロック１の突き合わせ面３に面接当接し、他側板面が前記他方の通水ブロック１の突き合わせ面３に面接当接したら）、第一掛止溝14と第二掛止溝16を接続用突起11から掛脱して引き寄せ具12を取り外す。図中符号５は、小間隙６に配設した目地材である。
【００８６】
次いで、横長帯状の金属板であって、この金属板の長手方向の両端部に前記接続用突起11に係止する係止溝19を切欠形成した接続部材18を使用し、この接続部材18の両端部の係止溝19を一方の消雪ブロック１の接続用突起11と他方の消雪ブロック１の接続用突起11とに係止することで、一方の通水ブロック１と他方の通水ブロック１とを接続部材18を介して連結する（図１１参照。）。
【００８７】
この作業を繰り返して、所望の消雪設備（通水設備）を完成させる。
【００８８】
尚、本実施例では、複数の消雪ブロック１をストレートな縦列状態に連結した場合を示したが、接続具本体４の柔軟性（弾性変形）を利用して消雪ブロック１同士をカーブ（屈曲）させて縦列状態に連結することもできるし、設置場所の起伏等に応じて上下方向に屈曲させて縦列状態に連結することもできる。また、連結した消雪ブロック１同士が地震などの影響で変位しても、接続具本体４が弾性変形することによってこの変位が吸収されることになる。
【００８９】
尚、本発明は、本実施例に限られるものではなく、各構成要件の具体的構成は適宜設計し得るものである。
【符号の説明】
【００９０】
１  通水ブロック
２  通水路
２Ａ  端部
３  突き合わせ面
４  接続具本体
８  挿入部
９  止水用突起
10  剛性芯材
11  接続用突起
12  引き寄せ具
13  引き寄せ部材
14  第一掛止溝
15  操作部材
16  第二掛止溝
17  操作ハンドル
18  接続部材
19  係止溝
20  補助突起
【図１】
2012117333.tif 000003
【図２】
2012117333.tif 000004
【図３】
2012117333.tif 000005
【図４】
2012117333.tif 000006
【図５】
2012117333.tif 000007
【図６】
2012117333.tif 000008
【図７】
2012117333.tif 000009
【図８】
2012117333.tif 000010
【図９】
2012117333.tif 000011
【図１０】
2012117333.tif 000012
【図１１】
2012117333.tif 000013